(57)【要約】      （修正有）【課題】お薬カレンダーの製造過程において、複数の薬剤容器を、所定の各曜日又は日付及び各服薬時間帯と対応するように整列された状態のまま一度に、極めて効率的に、所望の場所に移動させることができる、お薬カレンダー作製用の薬剤容器の整列移動方法及び用具を提供する。【解決手段】複数の各薬剤容器を所定の位置関係に配置、整列する整列ステップと、前記各薬剤容器の底部の近傍部分を挿入可能な開口部と前記各薬剤容器の底部近傍部分を部分的に押圧し係止可能な突部とを有する係止板を、前記各薬剤容器側に移動させて、前記各突部により前記各薬剤容器の底部近傍部分の一部を押圧、係止させる係止ステップとを含む、お薬カレンダー作製用の薬剤容器の整列移動方法及び用具である。【選択図】図１
2019115384.tif 000002
【特許請求の範囲】
【請求項１】
少なくとも底部の近傍部分が可とう性又は弾性を有するように形成され且つ前記底部又はその近傍部分の平面積が薬剤を出し入れする開口部の平面積よりも小さくなるような略テーパー状又は側断面略階段状に形成された複数の薬剤容器を、前記各底部が上側となるように且つそれらが互いに所定の位置関係となるように、整列する整列ステップと、
前記各薬剤容器の底部の近傍部分がそれぞれ挿入可能な複数の開口部、及び前記各開口部を形成する開口縁部の一部にそれぞれ形成された突部を有する係止板を、その一方の面側から、前記係止板の各開口部内に前記各薬剤容器の底部の近傍部分が挿入され且つ前記係止板の各突部が前記各薬剤容器の底部の近傍部分の一部を押圧し係止した状態となるように、前記複数の薬剤容器の方向に移動させる係止ステップと、
を含み、複数の薬剤容器を整列された状態のまま一度に移動できるようにした、お薬カレンダー作製用の薬剤容器の整列移動方法。
【請求項２】
前記整列ステップの後に、且つ前記係止ステップの前に、前記各薬剤容器の底部の近傍部分がそれぞれ挿入可能な複数の開口部を有する支持板を、その一方の面側から、前記支持板の各開口部内に前記各薬剤容器の底部の近傍部分が挿入された状態となるように、前記複数の薬剤容器の方向に移動させる挿入ステップをさらに含む、請求項１に記載のお薬カレンダー作製用の薬剤容器の整列移動方法。
【請求項３】
前記係止ステップの後に、前記係止板の少なくとも一部を把持して移動させることにより、前記係止板の各突部にそれぞれ係止された前記複数の薬剤容器を所望の場所に一度に移動させる係止移動ステップをさらに含む、請求項１又は２に記載のお薬カレンダー作製用の薬剤容器の整列移動方法。
【請求項４】
前記係止移動ステップの後に、複数の棒状体を備えたフォークを使用して、前記複数の薬剤容器の各側部同士の間の隙間に前記各棒状体を差し込み、その後前記各棒状体を上昇させ、これにより前記支持板及び／又は前記係止板から前記複数の薬剤容器を分離させて前記複数の薬剤容器だけを上昇させ、この分離、上昇させた前記複数の薬剤容器だけを所望の場所に一度に移動させる分離移動ステップをさらに含む、請求項３に記載のお薬カレンダー作製用の薬剤容器の整列移動方法。
【請求項５】
前記整列ステップは、前記各薬剤容器を、前記互いに所定の位置関係となる各位置に整列すると共に前記各位置においてそれぞれ複数個ずつ上下に積み重ねられるようにするものである、請求項１から４までのいずれかに記載のお薬カレンダー作製用の薬剤容器の整列移動方法。
【請求項６】
前記整列ステップは、前記各薬剤容器を、横方向に３列若しくは４列又は縦方向に３行若しくは４行だけ並び、且つ縦方向に７行又は横方向に７列だけ並ぶように、整列させるものである、請求項１から５までのいずれかに記載のお薬カレンダー作製用の薬剤容器の整列移動方法。
【請求項７】
前記係止ステップにおいて、前記係止板が前記複数の薬剤容器の方向に移動したとき、前記係止板の前記各開口部の開口縁部は前記各薬剤容器の底部の近傍部分の外周側に対向又は当接し、前記係止板の前記各開口縁部の突部は前記各薬剤容器の底部の近傍部分に部分的に食い込みこれを変形させるものである、請求項１から６までのいずれかに記載のお薬カレンダー作製用の薬剤容器の整列移動方法。
【請求項８】
少なくとも底部の近傍部分が可とう性又は弾性を有するように形成され且つ前記底部又はその近傍部分の平面積が薬剤を出し入れする開口部の平面積よりも小さくなるような略テーパー状又は側断面略階段状に形成されており、前記各底部が上側となるように且つそれらが互いに所定の位置関係となるように整列されている複数の薬剤容器を、それらが整列された状態のまま一度に移動させるための整列移動用具であって、前記各薬剤容器の底部の近傍部分がそれぞれ挿入可能な複数の開口部、及び前記各開口部を形成する開口縁部の一部にそれぞれ形成された突部を有する係止板から成り、前記係止板をその一方の面側から前記複数の薬剤容器の方向に移動させたとき、前記係止板の各開口部内に前記各薬剤容器の底部の近傍部分が挿入されるようにし且つ前記係止板の各突部が前記各薬剤容器の底部の近傍部分を部分的に押圧して変形させるようにし、これにより前記複数の薬剤容器を整列された状態のまま一度に移動できるようにした、お薬カレンダー作製用の薬剤容器の整列移動用具。
【請求項９】
前記係止板は、前記係止板が前記複数の薬剤容器の方向に移動したとき、前記係止板中の前記各開口部の開口縁部が前記各薬剤容器の底部の近傍部分の外周側に対向又は当接すると共に、前記係止板中の前記各開口縁部の突部が前記各薬剤容器の底部の近傍部分に部分的に食い込みこれを変形させるものである、請求項８に記載のお薬カレンダー作製用の薬剤容器の整列移動用具。
【発明の詳細な説明】
【技術分野】
【０００１】
本発明は、複数の薬剤容器をお薬カレンダーの作製に適した各位置に配置し整列した状態のまま一度に移動できるようにした、お薬カレンダー作製用の薬剤容器の整列移動方法及び用具に関する。
【背景技術】
【０００２】
従来より、特に高齢者の患者など薬の飲み忘れ防止の必要性が大きい患者のために、患者の服薬管理用のお薬カレンダーが種々提案されている。例えば、図２１は特許文献１が提案しているお薬カレンダーを示すものであるが、この特許文献１では、例えば横（又は縦）方向には朝、昼及び夕方（さらには就寝前）の１日３回（又は４回）の服薬時間帯を表示し、縦（又は横）方向には月曜日から日曜日まで（又は日曜日から土曜日まで）の１週間分の曜日又は日付を表示したカレンダーに似た台紙シートと、この台紙シート中の各服薬時間帯にそれぞれ対応するように各薬剤収容部（各患者の１回服用分の薬剤がそれぞれ収容される凹部）が形成された薬剤収容シートとを互いに接着等により固定し（これにより前記台紙シートが前記各薬剤収容部の蓋部となる）、患者は各服薬時間帯になる度に対応する各薬剤収容部から１回服用分の薬剤を取り出して服用できるようにした、お薬カレンダーを提案している。
【先行技術文献】
【特許文献】
【０００３】
【特許文献１】特許第３１５９４０５号公報
【発明の概要】
【発明が解決しようとする課題】
【０００４】
ところで、図２１に示すような複数の各薬剤収容部が予め一体的に形成されて成るシートと各曜日又は日付及び服薬時間帯などが表示された台紙シートとを互いに接着して作製するタイプのお薬カレンダーではなく、予め互いにバラバラに分離されている各薬剤容器中に１回服用分の薬剤を収容し、その後、これら各薬剤容器を各曜日又は日付及び各服薬時間帯などが表示された台紙シートで接着、接続して作製するタイプのお薬カレンダーも知られている。このようなタイプのお薬カレンダーにおいては、その製造過程で、予め互いにバラバラに分離されている各薬剤容器を前述のような台紙シートで接着して互いに接続するためには、事前に、前記の予め互いにバラバラに分離された各薬剤容器を所定の各曜日又は日付及び各服薬時間帯に対応する各位置に整列しておく必要があるが、従来、そのような整列作業は極めて煩雑なものであった。
【０００５】
本発明はこのような従来技術の問題点に着目して為されたものであって、お薬カレンダーの製造過程において、予め互いにバラバラに分離されている各薬剤容器に１回服用分の薬剤を収容させ、それらを前述のような台紙シートで接着して互いに接続する前に、前記各薬剤容器を、所定の各曜日又は日付及び各服薬時間帯に対応する各位置に整列させてその状態のまま一度に、所望の場所に、例えば前記薬剤の収容（及び前述のような台紙シートの接着等）に適した場所に移動させることができる、お薬カレンダー作製用の薬剤容器の整列移動方法及び用具を提供することを目的とする。また、特に本発明は、お薬カレンダーの製造過程において、予め互いにバラバラに分離されている各薬剤容器を所定の位置関係に整列された状態のまま一度に所望の場所に次々と順次連続的に移動させる作業を、極めて効率的に行うことができる、お薬カレンダー作製用の薬剤容器の整列移動方法及び用具を提供することを目的とする。
【課題を解決するための手段】
【０００６】
以上のような課題を解決するための本発明によるお薬カレンダー作製用の薬剤容器の整列移動方法は、少なくとも底部の近傍部分が可とう性又は弾性を有するように形成され且つ前記底部又はその近傍部分の平面積が薬剤を出し入れする開口部の平面積よりも小さくなるような略テーパー状又は側断面略階段状に形成された複数の薬剤容器を、前記各底部が上側となるように且つそれらが互いに所定の位置関係となるように整列する整列ステップと、前記各薬剤容器の底部の近傍部分がそれぞれ挿入可能な複数の開口部、及び前記各開口部を形成する開口縁部の一部にそれぞれ形成された突部を有する係止板を、その一方の面側から、前記係止板の各開口部内に前記各薬剤容器の底部の近傍部分が挿入され且つ前記係止板の各突部が前記各薬剤容器の底部の近傍部分の一部を押圧し係止した状態となるように、前記複数の薬剤容器の方向に移動させる係止ステップとを含むものである。
【０００７】
また、本発明によるお薬カレンダー作製用の薬剤容器の整列移動方法においては、前記整列ステップの後に、且つ前記係止ステップの前に、前記各薬剤容器の底部の近傍部分がそれぞれ挿入可能な複数の開口部を有する支持板を、その一方の面側から、前記支持板の各開口部内に前記各薬剤容器の底部の近傍部分が挿入された状態となるように、前記複数の薬剤容器の方向に移動させる挿入ステップを、さらに含むようにしてもよい。
【０００８】
また、本発明によるお薬カレンダー作製用の薬剤容器の整列移動方法においては、前記係止ステップの後に、前記係止板の少なくとも一部を把持して移動させることにより、前記複数の各薬剤容器を所望の場所に一度に移動させる係止移動ステップを、さらに含むようにしてもよい。
【０００９】
また、本発明によるお薬カレンダー作製用の薬剤容器の整列移動方法においては、前記係止移動ステップの後に、複数の棒状体を備えたフォークを使用して、前記複数の薬剤容器の各側部（前記各薬剤容器の各側部中の前記支持板及び／又は前記係止板が対向又は当接する底部近傍部分よりも開口部側の部分）同士の間の隙間に前記各棒状体を差し込み、その後前記各棒状体を上昇させ、これにより前記支持板及び／又は前記係止板から前記複数の薬剤容器を分離させて前記複数の薬剤容器だけを上昇させ、この分離、上昇させた前記複数の薬剤容器だけを所望の場所に一度に移動させる分離移動ステップを、さらに含むようにしてもよい。
【００１０】
また、本発明によるお薬カレンダー作製用の薬剤容器の整列移動方法において、前記整列ステップは、前記各薬剤容器を、前記互いに所定の位置関係となる各位置に整列すると共に前記各位置においてそれぞれ複数個ずつ上下に積み重ねられるようにするものであってもよい。
【００１１】
また、本発明によるお薬カレンダー作製用の薬剤容器の整列移動方法において、前記整列ステップは、前記各薬剤容器を、横方向に３列若しくは４列又は縦方向に３行若しくは４行だけ並び、且つ縦方向に７行又は横方向に７列だけ並ぶように、整列させるものであってもよい。
【００１２】
また、本発明によるお薬カレンダー作製用の薬剤容器の整列移動方法において、前記係止ステップでは、前記係止板が前記複数の薬剤容器の方向に移動したとき、前記係止板の前記各開口部の開口縁部が前記各薬剤容器の底部の近傍部分の外周側に対向又は当接し、前記係止板の前記各開口縁部の突部が前記各薬剤容器の底部の近傍部分に部分的に食い込みこれを変形させるものであってもよい。
【００１３】
また、本発明によるお薬カレンダー作製用の薬剤容器の整列移動用具は、少なくとも底部の近傍部分が可とう性又は弾性を有するように形成され且つ前記底部又はその近傍部分の平面積が薬剤を出し入れする開口部の平面積よりも小さくなるような略テーパー状又は側断面略階段状に形成されており、前記各底部が上側となるように且つそれらが互いに所定の位置関係となるように整列されている複数の薬剤容器を、それらが整列された状態のままで一度に移動させるための整列移動用具であって、前記各薬剤容器の底部の近傍部分がそれぞれ挿入可能な複数の開口部、及び前記各開口部を形成する開口縁部の一部にそれぞれ形成された突部を有する係止板から成り、前記係止板をその一方の面側から前記複数の薬剤容器の方向に移動させたとき、前記係止板の各開口部内に前記各薬剤容器の底部の近傍部分が挿入されるようにし且つ前記係止板の各突部が前記各薬剤容器の底部の近傍部分を部分的に押圧して変形させるようにし、これにより複数の薬剤容器を整列された状態のまま一度に移動できるようにした整列移動用具である。
【００１４】
さらに、本発明によるお薬カレンダー作製用の薬剤容器の整列移動用具において、前記係止板は、前記係止板が前記複数の薬剤容器の方向に移動したとき、前記係止板の前記各開口部の開口縁部が前記各薬剤容器の底部の近傍部分の外周側に対向又は当接し、前記係止板の前記各開口縁部の突部が前記各薬剤容器の底部の近傍部分に部分的に食い込みこれを変形させるものであってもよい。
【発明の効果】
【００１５】
本発明によるお薬カレンダー作製用の薬剤容器の整列移動方法においては、前記係止ステップにおいて、前記係止板を前記複数の薬剤容器の方向に移動させる過程で、前記係止板の各開口縁部中の突部が前記各薬剤容器の底部の近傍部分を部分的に押圧して変形させるように作用する結果、前記各薬剤容器の底部の近傍部分がそれぞれ前記係止板の各突部に係止された状態となるので、その後は、前記係止板の少なくとも一部を把持して移動させるだけで、前記複数の薬剤容器を、それらが整列された状態のまま、一度に移動させることができるようになる。
【００１６】
また、本発明によるお薬カレンダー作製用の薬剤容器の整列移動方法において、前記整列ステップの後に及び前記係止ステップの前に、前記各薬剤容器の底部の近傍部分がそれぞれ挿入可能な複数の開口部を有する支持板を、前記複数の薬剤容器の方向に移動させて、前記支持板の各開口部内に前記各薬剤容器の底部の近傍部分が挿入された状態となるようにしたときは、前記支持板が、前記各薬剤容器の前記開口部側と前記係止板との間に介在するようになる。よって、本発明によれば、前記係止板の各突部により前記各薬剤容器の底部の近傍部分を係止し、前記係止された各薬剤容器を整列された状態のまま一度に移動させた後、前記支持板を前記係止板から分離するという簡単な動作を行うだけで、前記各薬剤容器及び前記支持板を前記係止板から容易に分離できるようになる。
【００１７】
また、本発明によるお薬カレンダー作製用の薬剤容器の整列移動方法において、前記係止移動ステップの後に、複数の棒状体を備えたフォークを使用して、前記複数の薬剤容器の各側部（前記各薬剤容器の各側部中の、前記支持板及び／又は前記係止板が対向又は当接する底部近傍部分よりも開口部側の部分）同士の間の隙間に前記各棒状体を差し込みその後前記各棒状体を上昇させることにより、前記支持板及び／又は前記係止板から前記複数の薬剤容器だけを分離しつつ上昇させるようにしたときは、前記の分離及び上昇の動作、並びにその後の複数の薬剤容器だけを所望の場所に一度に移動させることを、極めて効率的に行えるようになる。
【００１８】
また、本発明によるお薬カレンダー作製用の薬剤容器の整列移動方法において、前記整列ステップで、前記複数の薬剤容器を、前記互いに所定の位置関係となる各位置に整列すると共に前記各位置においてそれぞれ複数個ずつ上下に積み重ねる（但し、前記各薬剤容器の側部中の前記係止板の突部が押圧して変形させる部分に対応する底部近傍部分だけは、他の薬剤容器の側部と重ならないようにする）ようにしたときは、前記の予め互いにバラバラに分離されている複数の薬剤容器をお薬カレンダーの作製に適した各位置に整列した状態のまま一度に所望の場所に移動させる作業を、前記の複数個ずつ上下に積み重ねられた各薬剤容器の上側から下側へと、順次、連続的に行えるようになる。よって、本発明によれば、お薬カレンダーの製造過程において、前記複数の薬剤容器を前記各位置に整列させたまま一度に所望の場所に次々と順次連続的に移動させる作業を、極めて効率的に行えるようになる。
【００１９】
また、本発明によるお薬カレンダー作製用の薬剤容器の整列移動方法において、前記整列ステップで、前記各薬剤容器を、横方向に３列若しくは４列又は縦方向に３行若しくは４行だけ並び、且つ縦方向に７行又は横方向に７列だけ並ぶように整列させるようにしたときは、お薬カレンダーの製造過程において、予め互いにバラバラに分離されている複数の各薬剤容器を、お薬カレンダーのユーザーである各患者の各曜日又は日付毎の服薬時間帯が表示されたお薬カレンダー用の位置関係に適合する状態に整列したまま、すなわち各患者の各曜日又は日付毎の服薬時間帯が表示されたお薬カレンダー用台紙シートを接着等固定できる状態に整列したまま、一度に、所望の場所に移動させることができるようになる。
【００２０】
また、本発明によるお薬カレンダー作製用の薬剤容器の整列移動方法において、前記係止ステップで、前記係止板の各開口部の開口縁部が、前記各薬剤容器の底部の近傍部分の外周側と対向又は当接し、前記係止板の各開口縁部の突部が、前記各薬剤容器の底部の近傍部分に部分的に食い込んでその部分を変形させるようにしたときは、前記係止板の各突部による前記複数の各薬剤容器の係止を、より確実なものとすることができるようになる。
【００２１】
また、本発明によるお薬カレンダー作製用の薬剤容器の整列移動用具を使用するときは、前記係止板を前記複数の薬剤容器の方向に移動させる過程で、前記係止板の各開口縁部中の突部が前記各薬剤容器の底部の近傍部分を部分的に押圧して変形させ、その結果、前記各薬剤容器の底部の近傍部分がそれぞれ前記係止板の各突部に係止された状態となるので、前記係止板の少なくとも一部を把持して移動させるだけで、前記複数の薬剤容器を、それらが整列された状態のまま、一度に移動させることができるようになる。
【００２２】
さらに、本発明によるお薬カレンダー作製用の薬剤容器の整列移動用具において、前記係止板を、前記係止板が前記複数の薬剤容器の方向に移動したとき、前記係止板の各開口部の開口縁部が前記各薬剤容器の底部の近傍部分の外周側に対向又は当接すると共に、前記係止板の各開口縁部の突部が前記各薬剤容器の底部の近傍部分に部分的に食い込んでその部分を変形させるように構成したときは、前記整列移動用具（例えば係止板）の各突部による前記複数の各薬剤容器の係止を、より確実なものとすることができるようになる。
【図面の簡単な説明】
【００２３】
【図１】本発明の実施形態に係るお薬カレンダー作製用の薬剤容器の整列移動方法の概略を説明するための斜視図である。
【図２】本実施形態に係る整列移動方法の概略を説明するための斜視図である。
【図３】本実施形態に係る整列移動方法の概略を説明するための斜視図である。
【図４】本実施形態に係る整列移動方法の概略を説明するための斜視図である。
【図５】本実施形態に係る薬剤容器の整列移動方法の動作を説明するための斜視図である。
【図６】本実施形態に係る薬剤容器の整列移動方法の動作を説明するための斜視図である。
【図７】本実施形態に係る薬剤容器の整列移動方法の動作を説明するための斜視図である。
【図８】（ａ）は本実施形態における支持プレートの構成及び動作を説明するための概略図、（ｂ）は本実施形態における係止板の構成及び動作を説明するための概略図、（ｃ）は本実施形態における係止板による各薬剤容器の係止動作を説明するための概略図である。
【図９】本実施形態に係る薬剤容器の整列移動方法の動作を説明するための斜視図である。
【図１０】本実施形態に係る薬剤容器の整列移動方法の動作を説明するための斜視図である。
【図１１】本実施形態に係る薬剤容器の整列移動方法の動作を説明するための斜視図本発明の実施形態による  である。
【図１２】本実施形態に係る薬剤容器の整列移動方法の動作を説明するための斜視図本実施形態による  である。
【図１３】本実施形態に係る薬剤容器の整列移動方法の動作を説明するための斜視図である。
【図１４】本実施形態に係る薬剤容器の整列移動方法の動作を説明するための斜視図である。
【図１５】本実施形態に係る薬剤容器の整列移動方法の動作を説明するための斜視図である。
【図１６】本実施形態に係る薬剤容器の整列移動方法の動作を説明するための斜視図である。
【図１７】本実施形態に係る薬剤容器の整列移動方法の動作を説明するための斜視図である。
【図１８】本実施形態に係る薬剤容器の整列移動方法の動作を説明するための斜視図である。
【図１９】（ａ）は本実施形態により整列移動された各薬剤容器間の各隙間にフォークの各棒状体を差し込んだ状態を示す概略側面図、（ｂ）は本実施形態において１回服用分の薬剤がそれぞれ収容された複数の薬剤容器に台紙シートを貼り付けることによりお薬カレンダーを作製する動作を説明するための概略図である。
【図２０】本実施形態において使用される薬剤容器の例を示す斜視図である。
【図２１】従来のお薬カレンダー及びその製造過程の一例を示す図である。
【発明を実施するための形態】
【００２４】
以下、本発明の実施形態に係るお薬カレンダー作製用の薬剤容器の整列移動方法及び用具を、図面を参照して説明する。図１〜４は本実施形態に係る薬剤容器の整列移動方法の概略を説明するための斜視図、図５〜７及び図９〜１８は本実施形態に係る薬剤容器の整列移動方法の動作を順に説明するための斜視図、図８は本実施形態における支持プレート及び係止板の構成及び動作、並びに本実施形態における係止板による各薬剤容器の係止動作を説明するための概略図、図１９は本実施形態により整列移動された各薬剤容器に１回服用分の薬剤を収容し台紙シートを貼り付けてお薬カレンダーを作製するための動作などを説明するための概略図である。
【００２５】
図１〜１９において、１はお薬カレンダー作製用の薬剤容器（カップ）、１ａは前記薬剤容器１の底部、１ｂは前記薬剤容器１の前記底部１ａと反対側に形成された開口部、１ｃは前記薬剤容器１の側部中の前記底部１ａの近傍部分、１ｄは前記開口部１ｂの外周縁部に形成されたフランジ部である。前記フランジ部１ｄは、お薬カレンダー作製用の台紙シート１２（図１９（ｂ）参照）が接着等で固定される部分である。前記薬剤容器１の側部は、前記開口部１ｂの平面積よりも前記底部１ａの平面積が徐々に小さくなるテーパー状に形成されている（図８など参照）。また前記各薬剤容器１は、例えばプラスチックなどの可とう性又は弾性を有する素材により一体的に形成されている。
【００２６】
図１９（ｂ）に示すように、前記各薬剤容器１に接着等されるお薬カレンダー用台紙シート１２は、例えば、横方向の１週間分の７列の曜日又は日付と、縦方向の朝、昼、夕及び寝る前の４行の服薬時間帯とにより区画される各マス１２ａ（本実施形態では計２８個）が印刷されたシートである。本実施形態では、各患者の一回服用分の薬剤（図１９（ｂ）の符号１１参照）が収容された前記各薬剤容器１が前記各マス１２ａに対応する各位置に整列された状態にあるとき、これら複数の薬剤容器１に対して前記各マス１２ａが印刷されたお薬カレンダー用台紙シート１２（図１９（ｂ）参照）が、一度に接着等される（図１９（ｂ）の矢印Ａ参照）。これにより、各患者のお薬カレンダーが作製される。
【００２７】
また図１などにおいて、２は前記複数の各薬剤容器１を前記お薬カレンダー用の各マス１２ａ（図１９（ｂ）参照）に対応する位置にそれぞれ配置するようにし且つ前記各薬剤容器１を複数個ずつ上下に積み重ねて置くようにするためのトレイ（位置決め台）である。前記トレイ２には、前記各薬剤容器１を前記お薬カレンダー用の各マス１２ａに対応する各位置に配置しやすいように、前記各マスに対応する各位置であることを示すマーク（図示省略）などが表示されている。
【００２８】
また図１などにおいて、３は前述のように計２８個の各マス１２ａの位置にそれぞれ対応するように配置、整列された前記各薬剤容器１の底部１ａ及びその近傍部分１ｃ（図８など参照）がそれぞれ挿入される各開口部３ａを有する支持プレートである。また図２などにおいて、４は前述のように計２８個の各マス１２ａの位置にそれぞれ対応するように配置、整列された前記各薬剤容器１の底部１ａ及びその近傍部分１ｃがそれぞれ挿入される各開口部４ａを有する係止板である。
【００２９】
本実施形態では、図８（ａ）に示すように、前記支持プレート３の前記各開口部３の輪郭部分を形成する開口縁部３ｂの側壁面は、前記薬剤容器１のテーパー状の側面に対応するテーパー状に形成されている。また、図８（ｂ）に示すように、前記係止板４の前記各開口部４ａの輪郭部分を形成する開口縁部４ｂの側壁面は、前記薬剤容器１のテーパー状の側面に対応するテーパー状に形成されている。また、図８（ｂ）に示すように、前記係止板４においては、前記各開口部４ａの開口縁部４ｂの一部に、前記開口部４ａの内部方向に突出する突部４ｃが形成されている。
【００３０】
次に図１〜１９を参照して本実施形態に係る薬剤容器１の整列移動方法の概略動作を説明する。まず、図１に示すように、前記複数の各薬剤容器１を、前記トレイ（位置決め台）２上の各位置（例えば計２８個の各位置）にそれぞれ並ぶように配置、整列する。このとき、前記各薬剤容器１は、それぞれ、その底部１ａが上側となるように且つ前記各位置ではそれぞれ複数個が上下方向に積み重ねられるように、配置する。図５は、このように配置、整列された前記各薬剤容器１と前記トレイ２を示す斜視図である。なお、前述のように前記各薬剤容器１が複数個ずつ上下に積み重ねられた状態においては、前記各薬剤容器１の側部がテーパー状に形成されているため、前記各薬剤容器１の底部１ａ及びその近傍部分１ｃ（特に、前記近傍部分１ｃ中の、前記係止板４の突部４ｃが当接、押圧して食い込み変形させる部分）だけは他の薬剤容器１と対向又は当接しない（重ならない）ように、積み重ねられている。
【００３１】
次に、図１に示すように、前記支持プレート３を、その一方の面側から、前記トレイ２上に並べられた前記各薬剤容器１の方へ移動させ、前記支持プレート３の各開口部３ａ中に、前記各薬剤容器１の底部１ａ及びその近傍部分１ｃを挿入させる（図６の下方部分を参照）。このとき、前述のように前記支持プレート３の開口部３ａの前記テーパー状に形成された開口縁部３ｂの側壁面は、前記各薬剤容器１の前記テーパー状に形成された底部近傍部分１ｃの側面と略平行に対向又は当接する（図８（ｃ）参照）。
【００３２】
次に、図２に示すように、前記係止板４を、その一方の面側から、前記トレイ２上に並べられた前記各薬剤容器１の方へ移動させ（図６の上方部分を参照）、前記支持プレート３を介して、前記係止板４の各開口部４ａ中に前記各薬剤容器１の底部１ａ及びその近傍部分１ｃを挿入させる（図７参照）。このとき、前記係止板４の開口部４ａの前記テーパー状に形成された開口縁部４ｂの側壁面（図８（ｂ）参照）は、前記各薬剤容器１の前記テーパー状に形成された底部近傍部分１ｃの側面と略平行に対向又は当接する（図８（ｃ）参照）。また、このとき、前記係止板４の開口縁部４ｂの一部に形成された突部４ｃが、前記各薬剤容器１の底部近傍部分１ｃの一部を押圧してその一部に食い込み、その部分を弾性的に変形させる（図８（ｃ）の１ｃ’参照）。その結果、前記底部近傍部分１ｃ及びそれを含む前記各薬剤容器１の全体が、前記係止板４の突部４ｃに係止された状態となる。
【００３３】
次に、図３の左側部分に示すように、前記係止板４中の少なくとも一部を把持して上方に移動させると、前記係止板４の各突部４ｃにそれぞれ係止された前記各薬剤容器１、及び前記係止板４と前記各薬剤容器１との間に挟まれた前記支持プレート３が、前記係止板４と一緒に移動する（図９及び図１０を参照）。
【００３４】
この移動の途中において、前述のように一緒に移動している前記係止板４、前記支持プレート３及び前記各薬剤容器１を、図３の左側部分に示す状態から図３の右側部分に示す状態になるように裏返し（すなわち図１０の状態から図１１の状態になるように裏返し）、これにより、前記各薬剤容器１の開口部１ｂが上側となる状態にする。その上で、前記係止板４、前記支持プレート３及び前記各薬剤容器１を、所望の場所に例えば作業用テーブルの上に、載置する（図１２参照）。
【００３５】
その後、図３の右側部分に示すように、前記係止板４をテーブルなどに置いたまま前記支持プレート３だけを持ち上げ、これにより、前記支持プレート３及びその上の前記各薬剤容器１だけを、前記係止板４から分離する。図１３の下方部分は、このようにして前記係止板４が分離された後の前記支持プレート３及び前記各薬剤容器１だけを、作業用テーブルに載置した状態を示している。さらに、その後、図４、図１３及び図１４に示すように、前記複数の薬剤容器１の各開口部１ｂ内にゴミ等が入らないように、前記各薬剤容器１に対してその上方から蓋シート５を被せる。前記蓋シート５においては、前記各薬剤容器１の開口部１ｂの各位置に対応する部分が透明素材による窓部５ａとして形成されている。
【００３６】
次に、このようにして前記係止板４が分離された後の前記支持プレート３及び各薬剤容器１に対し、図４、図１５及び図１６に示すように、フォーク６の操作部（取っ手）６ｂを操作して、前記フォーク６に備えられた複数本（本実施形態では計８本）の棒状体６ａを、前記各薬剤容器１の側部（前記各薬剤容器１の側部中の、前記支持プレート３が対向又は当接している底部近傍部分１ｃよりも開口部１ｂ側の部分）同士の間の各隙間にそれぞれ差し込む（図１９（ａ）参照）。そして、前記各棒状体６ａが前記各隙間に十分に差し込まれた状態で、前記操作部６ｂを操作して前記フォーク６全体を上昇させると、前記各薬剤容器１及び前記蓋シート５だけが、前記支持プレート３から分離された状態で（すなわち前記支持プレート３だけがテーブルなどの上に残された状態で）、前記整列された状態のまま上昇する（図１７、及び図１８参照）。
【００３７】
その後は、前述のようにして整列された状態のまま上昇した前記各薬剤容器１を、所望の場所、例えば図示しない薬剤自動手撒き装置内に移動させて前記各薬剤容器１内にそれぞれ１回服用分の薬剤を収容させる（図１９（ｂ）参照。なお前記薬剤の手撒きは手作業で行うようにしてもよい）。その後、前記各薬剤容器１を、再び前記フォーク６などを使用して、前記各薬剤容器１にお薬カレンダー用台紙シート１２を接着するための装置内に移動させる。この装置では、前記台紙シート１２を、前記薬剤容器１の各開口縁部のフランジ部１ｄの表面に接着、固定する（図１９（ｂ）参照。なお上記接着等は手作業で行うようにしてもよい）。これにより、例えば４週間（２８日）分のお薬カレンダーが作製される。
【００３８】
以上説明したように、本実施形態においては、前記係止板４を前記複数の薬剤容器１の方向に移動させる過程で、前記係止板４の各開口縁部４ｂの突部４ｃが、前記各薬剤容器１の底部１ａの近傍部分１ｃを部分的に押圧して変形させる（図８（ｃ）の符号１ｃ’参照）ように作用し、その結果、前記各薬剤容器１の底部１ａの近傍部分１ｃがそれぞれ前記係止板４の各突部４ｃに係止された状態となるので、前記係止板４の少なくとも一部を把持して移動させるだけで、前記複数の薬剤容器１を、それらが整列された状態のまま一度に移動させることができるようになる。
【００３９】
また、本実施形態においては、前記係止板４を前記各薬剤容器１の方に移動させる前に、前記支持プレート３を前記各薬剤容器１の方に移動させて、前記各薬剤容器１の底部１ａの近傍部分１ｃが前記支持プレート３中の各開口部３ａ内に挿入された状態となるようにし、その後に、前記係止板４を前記各薬剤容器１側に移動させて前記各薬剤容器１の底部１ａの近傍部分１ｃがそれぞれ前記係止板４の各突部４ｃに係止された状態となるようにした。すなわち、本実施形態では、前記支持プレート３を、前記各薬剤容器１の前記開口部１ｂ側と前記係止板４との間に介在させるようにした。よって、本実施形態によれば、前記係止板４を移動させることにより、前記係止板４により係止された前記複数の薬剤容器１をそれらが整列された状態のまま一度に移動させた後、前記支持プレート３を前記係止板４から分離するという簡単な動作を行うだけで、前記各薬剤容器１及び前記支持プレート３を前記係止板４から容易に分離できるようになる。
【００４０】
また、本実施形態においては、前記係止板４を移動させることにより前記係止板４に係止された前記各薬剤容器１及び前記支持プレート３を一緒に移動し、さらに前記係止板４を前記支持プレート３等から分離した後に、複数の棒状体６ａを備えたフォーク６を使用して、前記複数の各薬剤容器１の各側部同士の間の隙間に前記各棒状体６ａを差し込み（図１９（ａ）参照）、前記複数の薬剤容器１だけを前記支持プレート３から分離しつつ上昇させるようにした。よって、本実施形態によれば、前記支持プレート３から前記各薬剤容器１だけを分離して上昇させて所望の場所に一度に移動させることが、極めて効率的に行えるようになる。
【００４１】
また、本実施形態においては、前記各薬剤容器１を前記トレイ２上でお薬カレンダー作製に適した各位置に整列、配置するとき、前記各薬剤容器１を、前記各位置においてそれぞれ複数個ずつ上下に積み重ねておくようにした（図１及び図５など参照。但し、前記各薬剤容器１の側部中の、前記係止板４の突部４ｃが押圧して食い込み変形させる部分（図８（ｃ）参照）に対応する底部近傍部分１ｃだけは、他の薬剤容器１の側部と互いに重ならないようにした）。したがって、本実施形態においては、前記の予め互いにバラバラに分離されている複数の各薬剤容器１をお薬カレンダーの作製に適した各位置に整列した状態のまま一度に所望の場所に移動させる作業を、前記の複数個ずつ上下に積み重ねられた各薬剤容器１の上側から下側へと、順次、連続的に行えるようになる。よって、本実施形態によれば、お薬カレンダーの製造過程において、前記複数の各薬剤容器１を前記各位置に整列させたまま一度に所望の場所に次々と順次連続的に移動させる作業を、極めて効率的に行えるようになる。
【００４２】
また、本実施形態においては、事前に、前記各薬剤容器１を前記トレイ２上でお薬カレンダーの作製に適した各位置に整列、配置するとき、それぞれの位置に配置される複数の薬剤容器１を、例えば横方向に７列だけ並び且つ縦方向に４行だけ並ぶように整列させるようにした（図１９（ｂ）参照）。よって、本実施形態によれば、お薬カレンダーの製造過程において、予め互いにバラバラに分離されている各薬剤容器１を、お薬カレンダーのユーザーである各患者の各曜日又は日付毎の服薬時間帯が表示されたお薬カレンダーに適合する相互位置関係に整列したまま、すなわち各患者の各曜日又は日付毎の服薬時間帯が表示されたお薬カレンダー用台紙シート１２をそのまま接着等固定できる状態に整列したまま、所望の場所（薬剤の自動手撒き装置など）に移動させることができる。
【００４３】
また、本実施形態においては、前記係止板４を前記各薬剤容器１の方に移動させるとき、前記係止板４の前記各開口部４ａの開口縁部４ｂの側壁面が、前記複数の各薬剤容器１の底部近傍部分１ｃの側面と対向又は当接し、前記係止板４の前記各開口縁部４ｂの突部４ｃが、前記複数の各薬剤容器１の底部近傍部分１ｃに部分的に食い込んで前記近傍部分１ｃを部分的に変形させるようにしたので、前記係止板４の各突部４ｃによる前記各薬剤容器１の係止をより確実なものとすることができる。
【００４４】
以上、本発明の実施形態について説明したが、本発明は前記実施形態として説明したものに限定されるものではなく、様々な修正及び変更が可能である。例えば、前記実施形態においては、前記各薬剤容器１の側部を、前記底部又はその近傍部分の平面積が薬剤を出し入れする開口部の平面積よりも小さくなるような略テーパー状に形成するようにしたが、本発明ではこれに限られるものではなく、例えば前記各薬剤容器１の側部を、前記底部又はその近傍部分の平面積が薬剤を出し入れする開口部の平面積よりも小さくなるような側断面略階段状に形成するようにしてもよい。また前記実施形態においては、前記各薬剤容器１を平面視で略円形状のカップとしたが、本発明ではこれに限られるものではなく、例えば前記各薬剤容器１を平面視で略多角形状のカップとしてもよい。なお、図２０は本発明又はその実施形態で使用され得る薬剤容器の一例となる得る平面視略円形状のテーパー状容器を示している。本発明又はその実施形態においては、前記薬剤容器１として、例えば、図２０（ａ）及び（ｂ）に示すような補強リブが設けられていないテーパー状容器を使用してもよいし、図２０（ｃ）及び（ｄ）に示すような補強リブ１ｅが形成され又は備えられたテーパー状容器を使用するようにしてもよい。
【符号の説明】
【００４５】
１    薬剤容器
１ａ  薬剤容器の底部
１ｂ  薬剤容器の開口部
１ｃ  薬剤容器の底部近傍部分
１ｄ  薬剤容器の開口縁部のフランジ部
１ｅ  薬剤容器の補強リブ
２    トレイ
３    支持プレート
３ａ  支持プレートの開口部
３ｂ  支持プレートの開口縁部
４    係止板
４ａ  係止板の開口部
４ｂ  係止板の開口縁部
４ｃ  突部
５    蓋シート
５ａ  窓部
６    フォーク
６ａ  棒状体
６ｂ  操作部
１１  １回服用分の薬剤
１２  薬カレンダー用台紙シート
１２ａ 薬カレンダー用台紙シートの各マス
【図１】
2019115384.tif 000003
【図２】
2019115384.tif 000004
【図３】
2019115384.tif 000005
【図４】
2019115384.tif 000006
【図５】
2019115384.tif 000007
【図６】
2019115384.tif 000008
【図７】
2019115384.tif 000009
【図８】
2019115384.tif 000010
【図９】
2019115384.tif 000011
【図１０】
2019115384.tif 000012
【図１１】
2019115384.tif 000013
【図１２】
2019115384.tif 000014
【図１３】
2019115384.tif 000015
【図１４】
2019115384.tif 000016
【図１５】
2019115384.tif 000017
【図１６】
2019115384.tif 000018
【図１７】
2019115384.tif 000019
【図１８】
2019115384.tif 000020
【図１９】
2019115384.tif 000021
【図２０】
2019115384.tif 000022
【図２１】
2019115384.tif 000023